(57)【要約】【課題】  支持脚のうち、少なくとも１個を袖箱としたデスクにおいて、デスクを最少限の種類の部材で構成するとともに、複数の天板を左右に並べてデスクを構成したい場合においても、構造上の無駄がなく、かつ充分な強度を有し、さらに体裁も良好なデスクを構成することができるデスク構造を提供する。【解決手段】  左右に離間して配置した複数の支持脚４０（２）を連結杆３で連結することによりベース部を構成し、その上方に天板を設けてなるデスクにおいて、前記支持脚４０（２）のうち少なくとも１個を袖箱４０とし、この袖箱４０の上面にジョイント受部材４３を着脱可能に取付け、かつこのジョイント受部材４３の左右側面の少なくとも一方に、連結杆３を、たとえばジョイント材１２を介して取付けたデスク構造とする。【選択図】        図１４
2006136578.tif 000002
【特許請求の範囲】
【請求項１】
左右に離間して配置した複数の支持脚を連結杆で連結することによりベース部を構成し、その上方に天板を設けてなるデスクにおいて、前記支持脚のうち少なくとも１個を袖箱とし、この袖箱の上面または背面にジョイント受部材を着脱可能かつ左右位置変更可能に取付け、かつこのジョイント受部材の左右側面の少なくとも一方に、連結杆を直接または間接に取付けたことを特徴とするデスク構造。
【請求項２】
ジョイント受部材を、左右対称に形成することにより、袖箱をデスクの左右端部またはそれ以外の中央部のいずれの支持脚として用いた場合にも適合しうるようにしたことを特徴とする請求項１記載のデスク構造。
【請求項３】
袖箱をデスク中央部における支持脚として用い、袖箱に取付けたジョイント受部材の左右側面の一方には、前記袖箱に端部を固定した連結杆の端面を対向させ、他方の側面には、他の連結杆を直接または間接に取付けたことを特徴とする請求項１または２記載のデスク構造。
【請求項４】
ジョイント受部材の左右に配設された２つの連結杆間に、ジョイント受部材の後面を覆うカバー部材を着脱可能に取付けたことを特徴とする請求項３記載のデスク構造。
【請求項５】
ジョイント受部材の左右いずれかの側面にジョイント材を取付け、このジョイント材に連結杆の端部を外嵌させることにより、ジョイント受部材に連結杆を間接的に取付けたことを特徴とする請求項１〜４のいずれかに記載のデスク構造。
【請求項６】
ジョイント材を、前向きコ字部材と後向きコ字部材とを、その背面板同士を固着し、この固着した二重の背面板部分に、上下方向の挿通孔を左右方向に複数個穿設し、かつ左右のいずれか一端に、挿通孔を穿設した側板を取付けることにより構成するとともに、取付ねじを側板の挿通孔を介してジョイント受部材の側面に設けたねじ孔に螺合することにより、ジョイント材をジョイント受部材に取付けたことを特徴とする請求項５記載のデスク構造。
【請求項７】
袖箱をデスク端部における支持脚として用い、前記袖箱に取付けたジョイント受部材の左右側面のうち、外側側面を覆うカバー部材を着脱自在に取付けたことを特徴とする請求項６記載のデスク構造。
【請求項８】
袖箱の上面後部に上方、後方および左右両側方が解放された左右方向の段差部を形成し、この段差部に、ジョイント受部材を取付けたことを特徴とする請求項１〜７のいずれかに記載のデスク構造。
【請求項９】
ジョイント受部材の前面に係止突起を設け、この係止突起を段差部の前面に設けた係合孔に係合させるとともに、上方から取付ねじをジョイント受部材に設けた挿通孔を介して段差部の底面に設けたねじ孔に螺合することにより、ジョイント受部材を袖箱の段差部に取付けたことを特徴とする請求項８記載のデスク構造。
【請求項１０】
袖箱の段差部における底面上に連結杆の端部を固定したことを特徴とする請求項８または９記載のデスク構造。
【請求項１１】
天板裏面に設けた係止部を、袖箱の上面に設けた係合孔に係止させることにより、天板とベース部とを連結したことを特徴とする請求項１〜１０のいずれかに記載のデスク構造。
【請求項１２】
袖箱の上面前部にねじ孔を有する左右方向の溝部を設け、左右方向に複数の挿通孔を穿設したブラケットを、前記複数の挿通孔の一部に挿通させた取付ねじを前記ねじ孔に螺合することにより袖箱の上面前部に取付けるとともに、下方より固定ねじをブラケットの他の挿通孔を挿通させて天板裏面の前部に設けたねじ孔に螺合することにより、袖箱の上面前部と天板前部とを連結したことを特徴とする請求項１〜１１のいずれかに記載のデスク構造。
【発明の詳細な説明】
【技術分野】
【０００１】
本発明は、オフィス等の執務空間において使用されるデスクの構造に関する。
【背景技術】
【０００２】
前記執務空間において使用されるデスクとしては、たとえば、背面にブラケットを取付けることによって左右の方向性をもたせた袖箱を連結杆で連結してベース部となし、その上面に天板を載置・固定してデスクを構成したものが公知である（特許文献１）。
これによれば、部材の共通化を図ることができる長所があるが、袖箱の背面より突出するブラケットによって連結杆と袖箱とが連結されているため、ブラケットの突出によって隙間が生じ、外観上の体裁に問題があるとともに、強度上も必ずしも充分なものではなかった。
また、前記デスクは、一台完結型の構造をしているため、複数のデスクを左右に並べて使用したい場合においては、各デスクを単純に横並びに並べて使用することになる。
この場合、隣接するデスクの端部では、２つの支持脚が並んで配置されることになり、構造上の無駄になるとともに、体裁も好ましいものではなかった。
これに対し、複数のデスクを左右に並べて使用したい場合に、隣合うデスクとの連結部分において支持脚を共用する構造のものが提案されている（特許文献２）。
この提案のものは、連結部分の構造上の無駄を省くことができるとともに、体裁も良好である。
しかし、支持脚と天板を、単にブラケットによって連結することのみによってデスクを構成しているため、強度的に必ずしも充分とはいえない。
【特許文献１】特開２００４−２３００７９号公報
【特許文献２】特開２００３−３３９４５０号公報
【発明の開示】
【発明が解決しようとする課題】
【０００３】
本発明は、前記の問題点に鑑み、支持脚のうち、少なくとも１個を袖箱としたデスクにおいて、デスクを最少限の種類の部材で構成するとともに、複数の天板を左右に並べてデスクを構成したい場合においても、構造上の無駄がなく、かつ充分な強度を有し、さらに体裁も良好なデスクを構成することができるデスク構造を提供することを目的とする。
【課題を解決するための手段】
【０００４】
上記課題は、特許請求の範囲における各請求項に示すように、下記の構成を備える発明によって解決される。
(１)  左右に離間して配置した複数の支持脚を連結杆で連結することによりベース部を構成し、その上方に天板を設けてなるデスクにおいて、前記支持脚のうち少なくとも１個を袖箱とし、この袖箱の上面または背面にジョイント受部材を着脱可能かつ左右位置変更可能に取付け、かつこのジョイント受部材の左右側面の少なくとも一方に、連結杆を直接または間接に取付けたデスク構造とする。
【０００５】
(２)  上記(１)項において、ジョイント受部材を、左右対称に形成することにより、袖箱をデスクの左右端部またはそれ以外の中央部のいずれの支持脚として用いた場合にも適合しうるようにする。
【０００６】
(３)  上記(１)項または(２)項において、袖箱をデスク中央部における支持脚として用い、袖箱に取付けたジョイント受部材の左右側面の一方には、前記袖箱に端部を固定した連結杆の端面を対向させ、他方の側面には、他の連結杆を直接または間接に取付ける。
【０００７】
(４)  上記(３)項において、ジョイント受部材の左右に配設された２つの連結杆間に、ジョイント受部材の後面を覆うカバー部材を着脱可能に取付ける。
【０００８】
(５)  上記(１)項〜(４)項のいずれかにおいて、ジョイント受部材の左右いずれかの側面にジョイント材を取付け、このジョイント材に連結杆の端部を外嵌させることにより、ジョイント受部材に連結杆を間接的に取付ける。
【０００９】
(６)  上記(５)項において、ジョイント材を、前向きコ字部材と後向きコ字部材とを、その背面板同士を固着し、この固着した二重の背面板部分に、上下方向の挿通孔を左右方向に複数個穿設し、かつ左右のいずれか一端に、挿通孔を穿設した側板を取付けることにより構成するとともに、取付ねじを側板の挿通孔を介してジョイント受部材の側面に設けたねじ孔に螺合することにより、ジョイント材をジョイント受部材に取付ける。
【００１０】
(７)  上記(６)項において、袖箱をデスク端部における支持脚として用い、前記袖箱に取付けたジョイント受部材の左右側面のうち、外側側面を覆うカバー部材を着脱自在に取付ける。
【００１１】
(８)  上記(１)項〜(７)項のいずれかにおいて、袖箱の上面後部に上方、後方および左右両側方が解放された左右方向の段差部を形成し、この段差部に、ジョイント受部材を取付ける。
【００１２】
(９)  上記(８)項において、ジョイント受部材の前面に係止突起を設け、この係止突起を段差部の前面に設けた係合孔に係合させるとともに、上方から取付ねじをジョイント受部材に設けた挿通孔を介して段差部の底面に設けたねじ孔に螺合することにより、ジョイント受部材を袖箱の段差部に取付ける。
【００１３】
(10)  上記(８)項または(９)項において、袖箱の段差部における底面上に連結杆の端部を固定する。
【００１４】
(11)  上記(１)項〜(10)項のいずれかにおいて、天板裏面に設けた係止部を、袖箱の上面に設けた係合孔に係止させることにより、天板とベース部とを連結する。
【００１５】
(12)  上記(１)項〜(11)項のいずれかにおいて、袖箱の上面前部にねじ孔を有する左右方向の溝部を設け、左右方向に複数の挿通孔を穿設したブラケットを、前記複数の挿通孔の一部に挿通させた取付ねじを前記ねじ孔に螺合することにより袖箱の上面前部に取付けるとともに、下方より固定ねじをブラケットの他の挿通孔を挿通させて天板裏面の前部に設けたねじ孔に螺合することにより、袖箱の上面前部と天板前部とを連結する。
【発明の効果】
【００１６】
本発明によると、次のような効果が奏せられる。
請求項１記載の発明によれば、支持脚としての袖箱の上面にジョイント受部材を着脱可能に取付けられるようにしてあるため、同一の袖箱を左右いずれの支持脚としても使用できるとともに、複数の天板を左右に並べてデスクを構成する場合にも、１個の袖箱を隣接する天板の支持脚として共有することができるため、最少限の種類の部材でデスクを構成することができる。したがって構造上の無駄がなく、体裁も良好なデスクが得られる。
また、袖箱に取付けたジョイント受部にジョイント材を取付けて連結部を構成し、この連結部をもって複数の支持脚を連結杆で連結してあるため、充分な強度を確保することができる。
【００１７】
請求項２記載の発明によれば、ジョイント受部材と袖箱の両者を、デスクの左右端部あるいは中央部のいずれを問わず共通に使用することができるため、最少限の種類の部材でデスクを構成することができる。
【００１８】
請求項３記載の発明によれば、ジョイント受部材の左右の連結杆が左右方向に一直線上に配置されるため、外観上の体裁が向上する。
【００１９】
請求項４記載の発明によれば、同じく、外観上の体裁が向上する。
【００２０】
請求項５記載の発明によれば、連結杆をジョイント材に簡単に連結することができるとともに、ジョイント材が連結杆に内嵌されているため、ジョイント材の端部等が露出せず外観が良好である。
【００２１】
請求項６記載の発明によれば、二重の背面板部分に挿通孔が穿設されているため充分な強度を有するデスクが得られるとともに、ジョイント材の前後が開放されているためジョイント材を左右方向から支持脚に取付ける際の作業性に優れる。
【００２２】
請求項７記載の発明によれば、デスクの外観上の体裁が向上する。
【００２３】
請求項８記載の発明によれば、ジョイント受部材が安定して取付けられ、デスクの強度向上を図ることができる。
【００２４】
請求項９記載の発明によれば、ジョイント受部材を強固に取付けることができ、デスクの一層の強度向上を図ることができる。
【００２５】
請求項１０記載の発明によれば、連結杆を安定して取付けることができる。
【００２６】
請求項１１記載の発明によれば、天板を、袖箱上面に簡単に固定することができる。
【００２７】
請求項１２記載の発明によれば、天板裏面と袖箱上面との間に間隔を生じさせずに、簡単に袖箱の上面前部と天板の裏面前部とを連結することができる。
【発明を実施するための最良の形態】
【００２８】
以下、本発明の実施形態を図面に基づいて説明する。
【００２９】
図１は、本発明のデスク構造を備えるデスクの後方斜視図、図２は、図１に示したデスクの分解斜視図である。
なお、本明細書における左右とは、図１に示すデスクの後方視における左右を指称する。
【００３０】
デスク(１)は、左右に離間して配置された３個の支持脚(２)を２本の連結杆(３)(３)で連結して構成したベース部(４)の上側に、左右２枚の天板(５)(６)を配設して形成されている。
【００３１】
支持脚(２)は、デスク(１)の左端にはパネル型支持脚(７)、中央および右端には、後記する袖箱(40)(62)が用いられている。
【００３２】
図３は、図２における破線円Ａ内の要部拡大図である。
【００３３】
図３に示すように、パネル型支持脚(７)は、ほぼ正方形のパネル本体部(7a)と、このパネル本体部(7a)の上面に形成された左右方向の幅が、パネル本体部(7a)の幅よりも小さい上端部(7b)と、パネル本体部(7a)の下端の前後部に取付けられたアジャスタ(８)(８)（図１参照）とより構成されている。
【００３４】
前記上端部(7b)とパネル本体部(7a)の両者の左右側面間には、段差が形成され、パネル型支持脚(７)は左右対称となっている。
【００３５】
前記段差における段差面(９)は、前後方向に水平に延び、後端において下向きに傾斜した後、水平に延びている。前記上端部(7b)の後端縁面(7c)パネル本体部(7a)の後端縁面(7d)よりも若干前方に位置するようになっている。上端部(7b)における後部は、左右方向に貫通するねじ孔(10)が上下左右に４個螺設されてジョイント受部(11)が形成されている。
【００３６】
このジョイント受部(11)には、後記するようにジョイント材(12)が取付けられる。図４は、ジョイント材の拡大斜視図であり、(ａ)は左方上方視、(ｂ)は右方上方視における拡大斜視図である。図４に示すように、ジョイント材(12)は、前向きコ字部材(13a)と後向きコ字部材(13b)とを、その背面板同士を溶着手段等により固着し、この固着した二重の背面板部分に、上下方向の挿通孔(14)を左右方向に等間隔Ｌで７個穿設し、かつ左右方向の一端に、上下左右４個の挿通孔(15)が穿設された側板(16)を、同じく溶着手段等により取付けて構成されている。
なお、前記挿通孔(14)間の間隔Ｌは、パネル型支持脚(７)の左右方向の幅寸法の半分となっている。
【００３７】
図５は、連結杆(３)の要部拡大斜視図である。図５に示すように、連結杆(３)は、断面がほぼ四辺形の管材からなり、後面(17)における上下端部(17a)(17b)が、横向きの段差面(17c)(17d)を介して後方に突出しており、下面(18)の前後方向の中央には、左右方向を向く台形状の嵌合溝(19)が設けられている。
【００３８】
連結杆(３)の左右端部(3a)(3b)には、上面(20)から下面(18)に貫通する挿通孔(21a)(21b)(21d)(21e)が左右方向に４個設けられるとともに、下面(18)には、前記４個の挿通孔のうちの２番目と３番目の挿通孔(21b)(21d)の間に相当する位置に１個の挿通孔(21c)が設けられ、これら５個の挿通孔は、左右方向に等間隔で並んでいる。
【００３９】
また連結杆(３)の後面(17)には後記するデスクトップパネル用ブラケット(22)を取付けるためのねじ孔(23)が設けられている。
【００４０】
連結杆(３)の下面に設けられた前記嵌合溝(19)には、後記するように、連結支持具(24)が嵌合される。
【００４１】
図６は、連結支持具(24)の拡大斜視図である。
【００４２】
図６に示すように、連結支持具(24)は、断面台形状の左右方向に長い平板(25)の上面中央に四角柱状の位置決め突起(26)を設け、この位置決め突起(26)の左右にねじ孔(27)(27)、このねじ孔(27)(27)の左右外側に挿通孔(28)(28)をそれぞれ設けて形成されている。
【００４３】
これらのジョイント材(12)および連結支持具(24)を用いて、連結杆(３)をパネル型支持脚(７)に連結するには、次の手順による。
【００４４】
図８は、図１において天板(５)を取り外した状態のデスク端部における一部破断した拡大要部平面図、図９，図１０，図１１は、それぞれ図８におけるIX〜IX線断面図、Ｘ〜Ｘ線断面図、XI〜XI線断面図である。
【００４５】
図８，図９，図３に示すように、まず、パネル型支持脚(７)におけるジョイント受部(11)の右側側面(11a)に、ジョイント材(12)における側板(16)を当接し、右方より取付ねじ(29)を側板(16)の挿通孔(15)を介して、ジョイント受部(11)のねじ孔(10)に螺合してジョイント材(12)をジョイント受部(11)に取付ける。
【００４６】
次いで、連結杆(３)を前ジョイント材(12)に外嵌し、連結杆(３)における４個の挿通孔(21)と、ジョイント材(12)における７個の挿通孔(14a)……(14g)のうちの側板(16)に近い方から、第１，２，４，５番目の挿通孔(14a)(14b)(14d)(14e)とを位置合わせし、連結支持具(24)を下方から連結杆(３)における下面(18)の嵌合溝(19)に嵌合させるとともに、連結支持具(24)の位置決め突起(26)を連結杆(３)の下面(18)の挿通孔(21c)およびジョイント材(12)の挿通孔(14c)に嵌挿する。
【００４７】
次に、２本の固定ねじ(30)(30)を、上方から、それぞれ連結杆(３)の挿通孔(21b)(21d)およびジョイント材(12)の挿通孔(14b)(14d)を介して、連結支持具(24)のねじ孔(27)(27)に螺合することにより、連結杆(３)を、ジョイント受部(11)とジョイント材(12)とからなる連結部(31)を介してパネル型支持脚(７)に連結する。
【００４８】
その後、ジョイント受部(11)の左側面(11b)および後面(11c)を端部カバー部材(32)で被覆する。
【００４９】
図７は、端部カバー部材(32)の拡大斜視図であり、(ａ)は表面上方視、(ｂ)は裏面上方視である。
【００５０】
端部カバー部材(32)は、側面片(33)と後面片(34)とよりなる。
側面片(33)は、図７(ａ)において左側方視における形状が、前縁(33a)が上端から下端に向けて後傾する四辺形をなし、裏面(33b)には、４個の係止突起(35)が設けられ、そのうち２個の係止突起(35a)(35a)には、先端に係止爪(35b)が設けられ、他の２個の係止突起(35c)(35c)は、断面十字状をなしている。側面片(33)の裏面(33b)における後端には、上下２枚の係止片(36)(36)が突設されている。
【００５１】
一方、後面片(34)は、後方視において縦長四辺形の本体(37)と、この本体(37)の上下端面(37a)(37b)における前縁に上下方向に延設された上下補助片(37c)(37d)と、本体(37)の右端面(37e)から右方に延設された差込片(38)とよりなる。本体(37)の左端面(37f)には、上下に２個の係合孔(39)(39)が設けられている。
【００５２】
端部カバー部材(32)は、側面片(33)における係止片(36)(36)を、後面片(34)の係合孔(39)(39)に嵌挿して係止することにより形成される。
【００５３】
図３において矢印Ｙで示すように、端部カバー部材(32)における後面片(34)の差込片(38)を、連結杆(３)とジョイント材(12)間の隙間に差込むとともに、側面片(33)の係止突起(35)を、ジョイント受部(11)におけるねじ孔(10)に嵌合させることにより、図８，図１に示すように、端部カバー部材(32)は連結部(31)に装着され、ジョイント受部(11)の左側面(11b)と後面(11c)とは端部カバー部材(32)によって覆われる。端部カバー部材(32)の左側面と支持脚(２)の左側面とは、ほぼ同一面となっている。
【００５４】
なお、図１２は、図９における破線円Ｃ内の拡大図であり、端部カバー部材(32)における係止突起(35a)の係止爪(35b)が、ジョイント受部(11)のねじ孔(10)に係止されている状態を示す。
【００５５】
図１４は、図２における破線円Ｂ内の要部拡大図、図１５は、袖箱とジョイント受部材の拡大斜視図である。
【００５６】
図１４，図１５に示すように、袖箱(40)の上面(41)における後部には、上方、後方および左右両側方が解放される左右方向の段差部(42)が形成されている。
段差部(42)における右端(42a)にはジョイント受部材(43)が取付けられている。
【００５７】
図１６は、ジョイント受部材(43)の拡大斜視図であり、(ａ)は後方上方視、(ｂ)は前方上方視である。
【００５８】
ジョイント受部材(43)は、側面視における上下方向と平面視における前後方向にやや長い直方体状をなし、上下方向および前後方向の挿通孔(44)(45)と、左右方向の４つのねじ孔(46)を有している。前後方向の挿通孔(45)は、前部において段差をもって縮径されている。
また、前面(47)には、上下に２つの係止突起(48)(48)が設けられている。このように、ジョイント受部材(43)は、左右対称に形成されている。
【００５９】
図１４，図１５に示すように、袖箱(40)の段差部(42)における前面(49)の左右端には、上下に２個の係合孔(50)(50)と、これらの２個の係合孔間にねじ孔(51)が設けられている。
【００６０】
ジョイント受部材(43)の前面(47)における２個の係止突起(48)(48)を、段差部(42)の前記係合孔(50)(50)に係合させるとともに、取付ねじ(52)を後方からジョイント受部材(43)の挿通孔(45)を介して段差部(42)の前記ねじ孔(51)に螺合させ、かつ取付ねじ(53)を上方からジョイント受部材(43)の挿通孔(44)を介して段差部(42)の底面(54)に設けられたねじ孔(55)に螺合させることにより、ジョイント受部材(43)が段差部(42)の右端に着脱可能に取付けられている。このジョイント受部材(43)は、前記したパネル型支持脚(７)におけるジョイント受部(11)に相当する。
【００６１】
袖箱(40)の段差部(42)における底面(54)には、断面台形状の左右方向に延びる係合突部(56)が設けられ、この係合突部(56)には、複数のねじ孔(57)が設けられている。
【００６２】
一方、連結杆(３)の下面(18)には、図５に示したように、断面台形状の嵌合溝(19)が設けられている。
【００６３】
図１７は、図１において天板(５)を取り外した状態のデスク中央部における一部破断した拡大要部平面図、図１８は、図１７におけるXVIII〜XVIII線縦断面図である。
【００６４】
図１７，図１８に示すように、連結杆(３)の右端部(3b)が、袖箱(40)における段差部(42)の底面(54)上に、段差部(42)の係合突部(56)が連結杆(３)の嵌合溝(19)に嵌合する形態で載置され、固定ねじ(58)(58)を、上方から連結杆(３)の挿通孔(21b)(21d)を介して係合突部(56)のねじ孔(57)に螺合させることにより、連結杆(３)が袖箱(40)の段差部(42)に固定されている。
【００６５】
連結杆(３)の前面、下面は、それぞれ袖箱(40)の段差部(42)における前面(49)、底面(54)に当接し、連結杆(３)の右端面(3c)は、ジョイント受部材(43)の左側面(43a)に対向している。ジョイント受部材(43)の右側面(43b)には、図９に示したパネル型支持脚(７)のジョイント受部(11)に、ジョイント材(12)を取付ける場合と同様にして、取付ねじ(59)(59)を右方から、ジョイント材(12)における側板(16)の挿通孔(15)（図４(ａ)参照）を介して、ジョイント受部材(43)のねじ孔(46)（図１６参照）に螺合することにより、ジョイント材(12)が、ジョイント受部材(43)の右側面(43b)に取付けられ、次いでこのジョイント材(12)に連結杆(３)の左端部(3a)が外嵌されて固定ねじ(60)(60)を上方から、連結杆(３)とジョイント材(12)の挿通孔(21b)(21d)を介して、連結支持具(24)のねじ孔(27)に螺合させることによって、連結杆(３)が、ジョイント材(12)を介してジョイント受部材(43)に間接的に取付けられている。
【００６６】
ジョイント受部材(43)の左右に配設された２つの連結杆(３)(３)間には、図２に示すように、ジョイント受部材(43)の後面を覆う中央カバー部材(61)が、その左右端(61a)(61a)を、連結杆(３)の後面(3d)の内側の隙間に挿入させて着脱自在に取付けられている。
【００６７】
図２０は、図２における破線円Ｃ内の拡大図、図２１は、図１の右端部における袖箱(62)と連結杆(３)の連結状態を示す図１８に相当する拡大縦断面図である。
【００６８】
ジョイント受部材(63)が、図１５に示した場合と同様にして、袖箱(62)における段差部(64)における右端部(64a)に取付けられ、図１７，図１８に示した場合と同様にして、このジョイント受部材(63)の左側面(63a)に右端面(3c)を対向させて連結杆(３)の右端部(3b)が固定ねじ(65)(65)によって、袖箱(62)の段差部(64)上に固定されている。
【００６９】
ジョイント受部材(63)の右側面(63b)には、図９に示した場合と同様にして、図７に示した形状の端部カバー部材(66)が着脱自在に取付けられ、ジョイント受部材(63)の右側面(63b)および後面(63c)を覆っている。
【００７０】
連結杆(３)の右端部(3b)の開口は、ジョイント受部材(63)が閉塞部材として機能し閉塞されている。
【００７１】
図１，図２に示すように、左右に離間して配置されたパネル型支持脚(７)および２つの袖箱(40)(62)の合計３つの支持脚(２)を２本の連結杆(３)(３)で連結されて構成されたベース部(４)の上方に２枚の天板(５)(６)を配設してデスク(１)が構成されている。
【００７２】
図１５，図２０に示すように、袖箱(40)(62)の上面後部には、左右にだるま状の係合孔(67)(68)が設けられており、天板(５)(６)の裏面に取付けられた固定ねじ（図示省略）の頭部（係止部）が前記係合孔(67)(68)に係止されるようになっている。
【００７３】
さらに、図１８に示すように、固定ねじ(69)(69)を連結支持具(24)、連結杆(３)、ジョイント材(12)の各挿通孔を介して天板(５)の裏面に設けられたねじ孔(70)に螺合することによっても、天板(５)とベース部(４)が連結されている。
【００７４】
図１３は、図８におけるXIII〜XIII線縦断面図である。
【００７５】
図８，図１３に示すように、パネル型支持脚(７)の上面前部には、左右方向に３つの挿通孔(71a)が設けられたブラケット(71)が、取付ねじ(72)を上方から左端の挿通孔(7a)を介してパネル型支持脚(７)の上端のねじ孔(73)に螺合させることにより、パネル型支持脚(７)に取付けられている。
【００７６】
取付ねじ(74)を、前記ブラケット(71)の右端の挿通孔(7a)を介して天板裏面のねじ孔(75)に螺合させることにより、天板(５)とパネル型支持脚(７)とが連結されている。
【００７７】
図１９は、図１７におけるXIX〜XIX線縦断面図である。前記と同様にして袖箱(40)の上面前部に設けられた溝部(75)に取付ねじ(76)をもって取付けられたブラケット(77)を用いて、取付ねじ(78)を下方から天板裏面のねじ孔(79)に螺合することにより、天板(６)と袖箱(40)の上面とが連結されている。
【００７８】
デスク(１)の左端後部におけるベース部(４)と天板(５)との連結は、図９に示すように、固定ねじ(30a)(30a)を連結支持具(24)の下方から連結杆(３)、ジョイント材(12)の各挿通孔を介して天板裏面に設けられたねじ孔(5a)に螺合することによりなされる。
また、デスク右端における袖箱(62)と天板(６)との連結は、図示を省略するが、袖箱(62)上面に設けられた挿通孔を介して取付ねじを袖箱(62)の内側下方から天板裏面のねじ孔に螺合させることによりなされている。
【００７９】
図１，２に示すように、天板(５)の後方には、所望により、デスクトップパネル(80)が取付けられる。
【００８０】
図２２は、デスクトップパネル(80)を取付けるためのブラケット(22)の拡大斜視図である。このブラケット(22)は、前後方向に長い長方体の上面が左右側面視において、逆台形状に切り欠かれるとともに、前面には、左右方向の嵌合溝(81)が設けられ、かつ前後方向に貫通する挿通孔(82)と後部に上下方向の取付孔(83)が設けられて構成されている。
【００８１】
図２３は、図１におけるXXIII〜XXIII線断面図である。
【００８２】
図２３に示すように、ブラケット(22)は、前面の嵌合溝(81)を、連結杆(３)の後面の凸状部(3e)に嵌合させ、取付ねじ(84)を後方から挿通孔(82)を介して連結杆(３)のねじ孔(23)に螺合させることにより、連結杆(３)に取付けられている。
【００８３】
デスクトップパネル(80)の下端に設けられたパイプ状取付部(85)を、上方からブラケット(22)の取付孔(83)に嵌挿することにより、デスクトップパネル(80)が天板(６)の後方に取付けられている。
【図面の簡単な説明】
【００８４】
【図１】本発明のデスク構造を備えるデスクの後方斜視図である。
【図２】図１に示したデスクの分解斜視図である。
【図３】図２における破線円Ａ内の要部拡大図である。
【図４】ジョイント材の拡大斜視図であり、(ａ)は左方上方視、(ｂ)は右方上方視における拡大斜視図である。
【図５】連結杆の要部拡大斜視図である。
【図６】連結支持具の拡大斜視図である。
【図７】端部カバー部材の拡大斜視図であり、(ａ)は表面上方視、(ｂ)は裏面上方視における拡大斜視図である。
【図８】図１において天板を取り外した状態のデスク端部における一部破断した拡大要部平面図である。
【図９】図８におけるIX〜IX線縦断面図である。
【図１０】同じく、図８におけるＸ〜Ｘ線縦断面図である。
【図１１】同じく、図８におけるXI〜XI線縦断面図である。
【図１２】図９における破線円Ｃ内の拡大図である。
【図１３】図８におけるXIII〜XIII線縦断面図である。
【図１４】図２における破線円Ｂ内の要部拡大図である。
【図１５】袖箱とジョイント受部材の拡大斜視図である。
【図１６】ジョイント受部材の拡大斜視図であり、(ａ)は後方上方視、(ｂ)は前方上方視における拡大斜視図である。
【図１７】図１において天板を取り外した状態のデスク中央部における一部破断した拡大要部平面図である。
【図１８】図１７におけるXIIX〜XIIX線縦断面図である。
【図１９】同じく、図１７におけるXIX〜XIX線縦断面図である。
【図２０】図２における破線円Ｃ内の拡大図である。
【図２１】図１の右端部における袖箱と連結杆の連結状態を示す図１８に相当する拡大縦断面図である。
【図２２】デスクトップパネルを取付けるためのブラケットの拡大斜視図である。
【図２３】図１におけるXXIII〜XXIII線縦断面図である。
【符号の説明】
【００８５】
(１)デスク
(２)支持脚
(３)連結杆
(3a)左端部
(3b)右端部
(3c)右端面
(3d)後面
(3e)凸状部
(４)ベース部
(５)(６)天板
(5a)ねじ孔
(７)パネル型支持脚
(7a)パネル本体部
(7b)上端部
(7c)(7d)後端縁面
(８)アジャスタ
(９)段差面
(10)ねじ孔
(11)ジョイント受部
(11a)右側面
(11b)左側面
(11c)後面
(12)ジョイント材
(13a)(13b)コ字部材
(14)(14a)……(14g)挿通孔
(15)挿通孔
(16)側板
(17)後面
(17a)上端部
(17b)下端部
(17c)(17d)段差面
(18)下面
(19)嵌合溝
(20)上面
(21a)〜(21e)挿通孔
(22)デスクトップパネル用ブラケット
(23)ねじ孔
(24)連結支持具
(25)平板
(26)位置決め突起
(27)ねじ孔
(28)挿通孔
(29)取付ねじ
(30)固定ねじ
(30a)固定ねじ
(31)連結部
(32)端部カバー部材
(33)側面片
(34)後面片
(35)(35a)(35c)係止突起
(35b)係止爪
(36)係止片
(37)本体
(37a)上端面
(37b)下端面
(37c)上補助片
(37d)下補助片
(37e)右端面
(37f)左端面
(38)差込片
(39)係合孔
(40)袖箱
(41)上面
(42)段差部
(42a)右端
(42b)左端
(43)ジョイント受部材
(43a)左側面
(43b)右側面
(44)(45)挿通孔
(46)ねじ孔
(47)前面
(48)係止突起
(49)前面
(50)係合孔
(51)ねじ孔
(52)取付ねじ
(53)取付ねじ
(54)底面
(55)ねじ孔
(56)係合突部
(57)ねじ孔
(58)固定ねじ
(59)取付ねじ
(60)固定ねじ
(61)中央カバー部材
(61a)左右端
(62)袖箱
(63)ジョイント受部材
(63a)左側面
(63b)右側面
(63c)後面
(64)段差部
(65)固定ねじ
(66)端部カバー部材
(67)(68)係合孔
(69)固定ねじ
(70)ねじ孔
(71)ブラケット
(71a)挿通孔
(72)取付ねじ
(73)ねじ孔
(74)取付ねじ
(75)溝部
(76)取付ねじ
(77)ブラケット
(78)取付ねじ
(79)ねじ孔
(80)デスクトップパネル
(81)嵌合溝
(82)挿通孔
(83)取付孔
(84)取付ねじ
(85)パイプ状取付部
【図１】
2006136578.tif 000003
【図２】
2006136578.tif 000004
【図３】
2006136578.tif 000005
【図４】
2006136578.tif 000006
【図５】
2006136578.tif 000007
【図６】
2006136578.tif 000008
【図７】
2006136578.tif 000009
【図８】
2006136578.tif 000010
【図９】
2006136578.tif 000011
【図１０】
2006136578.tif 000012
【図１１】
2006136578.tif 000013
【図１２】
2006136578.tif 000014
【図１３】
2006136578.tif 000015
【図１４】
2006136578.tif 000016
【図１５】
2006136578.tif 000017
【図１６】
2006136578.tif 000018
【図１７】
2006136578.tif 000019
【図１８】
2006136578.tif 000020
【図１９】
2006136578.tif 000021
【図２０】
2006136578.tif 000022
【図２１】
2006136578.tif 000023
【図２２】
2006136578.tif 000024
【図２３】
2006136578.tif 000025